(57)【要約】【課題】電動機と駆動回路とを電気的に接続するバスバーの冷却液による冷却性を高める。【解決手段】モータとインバータとを電気的に接続するバスバーのうち鉛直方向に延在する鉛直延在部５３に、潤滑油の供給配管の供給口に対向する一部位よりも鉛直方向下方で供給口に対向する方向に鉛直延在部５３を貫通する貫通孔５６を設ける。また、貫通孔５６に代えて又は加えて、供給配管の供給口に対向する一部位よりも鉛直方向下方で供給口に対向する一面から突出する凸部を設けたり、同じく一面から窪んだ凹部を設ける。これにより、貫通孔や凸部，凹部を設けないバスバーに比して、バスバーにおいて潤滑液との熱交換が行なわれる表面積を大きくすると共に熱交換が行なわれる時間を長くすることができる。【選択図】図４
2011234590.tif 000002
【特許請求の範囲】
【請求項１】
電動機と、前記電動機の鉛直方向上方に配置され前記電動機を駆動する駆動回路と、略鉛直方向に延在する鉛直延在部を有し前記電動機と前記駆動回路とを電気的に接続するバスバーと、を備える駆動装置であって、
前記バスバーの鉛直延在部における鉛直方向上部の所定部位に対向するように開口して該鉛直延在部に向けて冷却液を供給する供給口を有する冷却液供給装置
を備え、
前記バスバーの鉛直延在部は、少なくとも前記所定部位より鉛直方向下方の部位に、前記供給口に対向する方向に前記鉛直延在部を貫通する１つ以上の貫通孔と、前記供給口に対向する表面で該表面から突出する１つ以上の凸部と、前記供給口に対向する表面で該表面から窪んだ１つ以上の凹部と、のうち少なくともいずれかが形成されてなる、
駆動装置。
【請求項２】
請求項１記載の駆動装置であって、
前記バスバーの鉛直延在部は、略鉛直方向を長手方向とする矩形状で一面が前記供給口に対向する板状に形成された形状に、前記貫通孔と前記凸部と前記凹部とのうち少なくともいずれかが形成されてなる、
駆動装置。
【請求項３】
電動機と、前記電動機の鉛直方向上方に配置され前記電動機を駆動する駆動回路と、円柱の中心軸方向としての略鉛直方向に延在する略円柱状の鉛直延在部を有し前記電動機と前記駆動回路とを電気的に接続するバスバーと、を備える駆動装置であって、
前記バスバーの鉛直延在部における鉛直方向上部の所定部位に対向するように開口して該鉛直延在部に向けて冷却液を供給する供給口を有する冷却液供給装置
を備え、
前記バスバーの鉛直延在部は、少なくとも前記所定部位より鉛直方向下方で円柱の表面を螺旋状とする溝部が形成されてなる、
駆動装置。
【発明の詳細な説明】
【技術分野】
【０００１】
本発明は、駆動装置に関し、詳しくは、電動機と、電動機の鉛直方向上方に配置され電動機を駆動する駆動回路と、略鉛直方向に延在する鉛直延在部を有し電動機と駆動回路とを電気的に接続するバスバーと、を備える駆動装置に関する。
【背景技術】
【０００２】
従来、この種の駆動装置としては、車両駆動用のモータジェネレータと、このモータジェネレータを駆動するインバータと、一方端にモータジェネレータの一相のステータコイルからのバスバーが接続されると共に他方端にインバータの対応する相のアームからのバスバーが接続された導電部材により構成された端子台と、を備えるものが提案されている（例えば、特許文献１参照）。この装置では、車両のディファレンシャルギヤにより掻き上げられた潤滑油の通路空間内に端子台を配置することにより、モータジェネレータで発生した熱を受けた端子台から潤滑油への放熱を可能な構成とし、端子台を冷却している。
【先行技術文献】
【特許文献】
【０００３】
【特許文献１】特開２００７−１６６８０３号公報
【発明の概要】
【発明が解決しようとする課題】
【０００４】
上述のような駆動装置では、装置構成の単純化を図り、車両への搭載性を向上させるなどのため、モータジェネレータの鉛直上方のできるだけ近い位置にインバータを配置することにより、端子台を用いずに、モータジェネレータとインバータとを鉛直方向に延在する比較的短いバスバーを用いて接続することが考えられる。この場合、モータジェネレータで発生した熱がバスバーを介してインバータに伝達されやすくなるため、インバータのスイッチング素子が過熱することのないよう、バスバーの冷却構造を複雑にすることなく潤滑油によるバスバーの冷却性を高めることが望まれる。
【０００５】
本発明の駆動装置は、略鉛直方向に延在する鉛直延在部を有し電動機と駆動回路とを電気的に接続するバスバーを備えるものにおいて、冷却液によるバスバーの冷却性を高めることを主目的とする。
【課題を解決するための手段】
【０００６】
本発明の駆動装置は、上述の主目的を達成するために以下の手段を採った。
【０００７】
本発明の第１の駆動装置は、
電動機と、前記電動機の鉛直方向上方に配置され前記電動機を駆動する駆動回路と、略鉛直方向に延在する鉛直延在部を有し前記電動機と前記駆動回路とを電気的に接続するバスバーと、を備える駆動装置であって、
前記バスバーの鉛直延在部における鉛直方向上部の所定部位に対向するように開口して該鉛直延在部に向けて冷却液を供給する供給口を有する冷却液供給装置
を備え、
前記バスバーの鉛直延在部は、少なくとも前記所定部位より鉛直方向下方の部位に、前記供給口に対向する方向に前記鉛直延在部を貫通する１つ以上の貫通孔と、前記供給口に対向する表面で該表面から突出する１つ以上の凸部と、前記供給口に対向する表面で該表面から窪んだ１つ以上の凹部と、のうち少なくともいずれかが形成されてなる、
ことを要旨とする。
【０００８】
この本発明の第１の駆動装置では、バスバーの鉛直延在部における鉛直方向上部の所定部位に対向するように開口して鉛直延在部に向けて冷却液を供給する供給口を有する冷却液供給装置を備え、バスバーの鉛直延在部は、少なくとも供給口の開口に対向する所定部位より鉛直方向下方の部位に、供給口に対向する方向に鉛直延在部を貫通する１つ以上の貫通孔と、供給口に対向する表面で該表面から突出する１つ以上の凸部と、供給口に対向する表面で該表面から窪んだ１つ以上の凹部と、のうち少なくともいずれかが形成されてなる。したがって、鉛直延在部に形成された貫通孔や凸部，凹部には冷却液供給装置の供給口から冷却液が供給されるが、貫通孔が形成された鉛直延在部を有するバスバーでは、貫通孔が形成されていないものに比して、冷却液が貫通孔を通じて供給口に対向する表面とは反対側の面に到達しやすくなり、バスバーにおいて冷却液との熱交換が行なわれる表面積を大きくすると共に熱交換が行なわれる時間を長くすることができる。また、凸部や凹部が形成された鉛直延在部を有するバスバーでは、それぞれ凸部や凹部が形成されてないものに比して、バスバーにおいて冷却液との熱交換が行なわれる表面積を大きくすると共に熱交換が行なわれる時間を長くすることができる。この結果、バスバーを冷却液の通路内に配置したりすることなく、バスバーの鉛直延在部に貫通孔や凸部，凹部を形成することによって、冷却液によるバスバーの冷却性を高めることができる。
【０００９】
こうした本発明の第１の駆動装置において、前記バスバーの鉛直延在部は、略鉛直方向を長手方向とする矩形状で一面が前記供給口に対向する板状に形成された形状に、前記貫通孔と前記凸部と前記凹部とのうち少なくともいずれかが形成されてなる、ものとすることもできる。
【００１０】
本発明の第２の駆動装置は、
電動機と、前記電動機の鉛直方向上方に配置され前記電動機を駆動する駆動回路と、円柱の中心軸方向としての略鉛直方向に延在する略円柱状の鉛直延在部を有し前記電動機と前記駆動回路とを電気的に接続するバスバーと、を備える駆動装置であって、
前記バスバーの鉛直延在部における鉛直方向上部の所定部位に対向するように開口して該鉛直延在部に向けて冷却液を供給する供給口を有する冷却液供給装置
を備え、
前記バスバーの鉛直延在部は、少なくとも前記所定部位より鉛直方向下方で円柱の表面を螺旋状とする溝部が形成されてなる、
ことを要旨とする。
【００１１】
この本発明の第２の駆動装置では、バスバーの鉛直延在部における鉛直方向上部の所定部位に対向するように開口して鉛直延在部に向けて冷却液を供給する供給口を有する冷却液供給装置を備え、バスバーの鉛直延在部は、少なくとも供給口の開口に対向する所定部位より鉛直方向下方で円柱の表面を螺旋状とする溝部が形成されてなる。したがって、鉛直延在部の螺旋状の部分に冷却液供給装置の供給口から冷却液が供給されるが、円柱の表面を螺旋状とする溝部が形成された鉛直延在部を有するバスバーでは、表面が螺旋状でないものに比して、冷却液が螺旋状の部分を周回しやすくなり、バスバーにおいて冷却液との熱交換が行なわれる表面積を大きくすると共に熱交換が行なわれる時間を長くすることができる。この結果、バスバーを冷却液の通路内に配置したりすることなく、電動機と駆動回路とを電気的に接続するためのバスバーの冷却液による冷却性を高めることができる。
【００１２】
また、本発明の第１または第２の駆動装置において、前記電動機は、第１のケースに収納され、前記駆動回路は、前記第１のケースの鉛直方向上部に配置された第２のケースに収納され、前記バスバーの鉛直延在部は、前記バスバーのうち前記第２のケース内の部分である、ものとすることもできる。
【図面の簡単な説明】
【００１３】
【図１】本発明の一実施例としての駆動装置４０を搭載したハイブリッド自動車２０の構成の概略を示す構成図である。
【図２】駆動装置４０の構成の概略を模式的に示す説明図である。
【図３】モータ４２や接続部材５０，供給配管６４を図２のＡ方向から視た様子を拡大して示す説明図である。
【図４】実施例のバスバー５０Ｕの鉛直延在部５３の外観の一例を示す外観斜視図である。
【図５】変形例のバスバーの鉛直延在部１５３の外観を例示する外観斜視図である。
【図６】変形例のバスバーの鉛直延在部２５３の外観を例示する外観斜視図である。
【図７】変形例のバスバーの鉛直延在部３５３の外観を例示する外観斜視図である。
【図８】変形例のバスバーの鉛直延在部４５３の外観を例示する外観斜視図である。
【図９】変形例のバスバーの鉛直延在部５５３の外観を例示する外観斜視図である。
【図１０】変形例のバスバーの鉛直延在部６５３の外観を例示する外観図である。
【発明を実施するための形態】
【００１４】
次に、本発明を実施するための形態を実施例を用いて説明する。
【実施例】
【００１５】
図１は、本発明の一実施例としての駆動装置４０を搭載したハイブリッド自動車２０の構成の概略を示す構成図である。実施例のハイブリッド自動車２０は、図示するように、内燃機関として構成されたエンジン２２と、エンジン２２を駆動制御するエンジン用電子制御ユニット（図中、エンジンＥＣＵ）２４と、エンジン２２のクランクシャフト２６にダンパ２７を介してキャリアが接続されると共に、駆動輪３９ａ，３９ｂにデファレンシャルギヤ３８及びギヤ機構３６を介して連結された駆動軸３２にリングギヤが接続されたプラネタリギヤ３０と、同期発電電動機として構成されて回転子がプラネタリギヤ３０のサンギヤに接続されたモータ４１と、同期発電電動機として構成されて回転子が駆動軸３２に接続されたモータ４２と、モータ４１，４２を駆動するためのインバータ４３，４４と、インバータ４３，４４の図示しないスイッチング素子をスイッチング制御することによってモータ４１，４２を駆動制御するモータ用電子制御ユニット（図中、モータＥＣＵ）４６と、リチウムイオン電池などの二次電池として構成されたバッテリ２８と、エンジンＥＣＵ２４やモータＥＣＵ４６と通信して車両全体をコントロールするハイブリッド用電子制御ユニット（図中、ＨＶＥＣＵ）７０と、を備える。
【００１６】
図２は、ハイブリッド自動車２０に搭載された実施例の駆動装置４０の構成の概略を模式的に示す説明図である。図示するように、実施例の駆動装置４０は、モータ４１，４２と、インバータ４３，４４と、モータ４２とインバータ４４とを電気的に接続する接続部材５０およびモータ４１とインバータ４３とを電気的に接続する接続部材５１と、プラネタリギヤ３０やギヤ機構３６を潤滑油を用いて潤滑すると共にこの潤滑油を用いて接続部材５０，５１やモータ４１，４２を冷却する潤滑システム６０と、を備える。モータ４１，４２は、プラネタリギヤ３０（図２では省略）やギヤ機構３６，潤滑システム６０と共にケース７１内に収納され、インバータ４１，４２は、モータ用電子制御ユニット４６（図２では省略）と共にケース７２内に収納されており、ケース７２は、ケース７１の鉛直方向上部に積載されている。潤滑システム６０は、ケース７１の底部に配置されギヤ機構３６などのギヤの一部が浸漬される潤滑油を貯留するオイルパン６２と、潤滑油を接続部材５０，５１に向けて供給すると共にモータ４１，４２にその上方から供給する供給配管６４と、オイルパン６２の潤滑油を供給配管６４に圧送するポンプ６６とを有し、接続部材５０，５１やモータ４１，４２を冷却した潤滑油はオイルパン６２に落下することにより潤滑システム６０内を循環している。
【００１７】
図３は、モータ４２や接続部材５０，供給配管６４を図２のＡ方向から視た様子を拡大して示す説明図である。図中、バスバー５０Ｕは、接続部材５０を構成する導電性材料（例えば銅）による三相（Ｕ相，Ｖ相，Ｗ相）のバスバーのうちＵ相に対応するものであり、モータ４２のステータコア４２ａから回転軸方向に突出したコイルエンド４２ｂに接続された略Ｚ字状で板状のバスバー部材５９と、固定部材５８によりこのバスバー部材５９に固定され略矩形状で板状のバスバー部材５２と、このバスバー部材５２に固定されると共にインバータ４４に接続された図示しないバスバー部材と、により構成されている。バスバー部材５２は、矩形の長手方向が鉛直方向となると共にケース７１とケース７２とを貫通しており、実施例では、バスバー部材５２のうちケース７１内で鉛直方向に延在する略矩形状で板状の部分を鉛直延在部５３と称する。潤滑システム６０の供給配管６４は、図示するように、この鉛直延在部５３における鉛直方向上部の一方の面側の一部位に水平方向で対向するように開口する供給口６５が設けられており、バスバー５０Ｕの鉛直延在部５３は、図中に矢印で示すように、供給配管６４の供給口６５から供給された潤滑油が上方から下方へ流しかけられて冷却することができるようになっている。
【００１８】
図４は、バスバー５０Ｕの鉛直延在部５３の外観の一例を示す外観斜視図である。図中、取付孔５４は、固定部材５８を取り付けるためのものである。図示するように、鉛直延在部５３は、供給配管６４の供給口６５に水平方向で対向する一部位よりも鉛直方向下方に、この鉛直延在部５３を一方から他方の面へ貫通する３つの貫通孔５６が設けられている。また、接続部材５０の残り２つのバスバーおよび接続部材５１の３つのバスバーも、同様に貫通孔が設けられた鉛直延在部に相当する部分を有している。実施例の駆動装置４０では、モータ４１，４２を収納するケース７１の鉛直方向上部にインバータ４１，４２を収納するケース７２を積載し、モータ４１とインバータ４１およびモータ４２とインバータ４２とをそれぞれ鉛直方向に延在する部分を有する３つのバスバーによって電気的に接続するため、バスバーの長さを比較的短くすることができるが、モータ４１，４２からの熱がインバータ４１，４２のスイッチング素子に伝達されやすい。そこで、例えばモータ４２のＵ相について、バスバー５０Ｕの鉛直延在部５３に３つの貫通孔５６を設けることにより、貫通孔５６を設けないものに比して、供給口６５からの潤滑油を供給口６５に対向する面とは反対側の面まで到達させやすくすることができ、バスバー５０Ｕにおいて潤滑液との熱交換が行なわれる表面積を大きくすると共に熱交換が行なわれる時間を長くすることができる。
【００１９】
以上説明した実施例のハイブリッド自動車２０に搭載された駆動装置４０によれば、例えばモータ４２のＵ相について、モータ４２とインバータ４４とを接続するバスバー５０Ｕの鉛直延在部５３に、潤滑油の供給配管６４の供給口６５に対向する一部位よりも鉛直方向下方で供給口６５に対向する方向に鉛直延在部５３を貫通する貫通孔５６を設けるから、バスバーを潤滑液の通路内に配置したりして装置を複雑にすることなく、バスバー５０Ｕの潤滑液による冷却性を高めることができる。
【００２０】
実施例の駆動装置４０では、バスバー５０Ｕの鉛直延在部５３に貫通孔５６を設けると共に他のバスバーについても同様に貫通孔を設けるものとしたが、図５の変形例のバスバーの鉛直延在部１５３や図６の変形例のバスバーの鉛直延在部２５３に例示するように、供給配管６４の供給口６５に対向する一部位よりも鉛直方向下方で供給口６５に対向する一面から突出する複数の凸部１５６を設けたり、同じく一面から窪んだ凹部２５６を設けるものとしてもよい。こうしたバスバーによっても、凸部や凹部を設けないものに比して、バスバーにおいて潤滑液との熱交換が行なわれる表面積を大きくすると共に熱交換が行なわれる時間を長くすることができる。なお、貫通孔５６の数は１つであっても４つ以上であってもよく、凸部１５６の数と凹部２５６の数とについても１つであるものとしてもよいし４つ以上であるものとしても構わない。
【００２１】
実施例の駆動装置４０では、バスバー５０Ｕの鉛直延在部５３に貫通する面が円形の貫通孔５６を設けると共に他のバスバーについても同様に貫通孔を設けるものとしたが、図７の変形例のバスバーの鉛直延在部３５３に例示するように、貫通する面が矩形の貫通孔３５６を設けるものとしてもよい。この場合、図示するように、貫通孔３５６を形成する矩形部分の下辺を除く三辺を切り込んでからこの矩形部分を供給口６５に対向する一方の面側に押し出すことにより、潤滑液を上方から受け入れて貫通孔３５６に導入可能な導入部３５７を貫通孔３５６毎に設けるものとしてもよい。
【００２２】
実施例の駆動装置４０では、バスバー５０Ｕの鉛直延在部５３に貫通孔５６を設けると共に他のバスバーについても同様に貫通孔を設けるものとしたが、図４で例示した貫通孔５６と図５で例示した凸部１５６と図６で例示した凹部２５６とのうちいずれか２つまたは３つを組み合わせたものをバスバーの鉛直延在部に設けるものとしてもよく、例えば、図８の変形例のバスバーの鉛直延在部４５３に例示するように、１つの貫通孔５６の鉛直方向下方に複数の凸部１５６を設けるなどとしてもよい。
【００２３】
実施例の駆動装置４０では、接続部材５０を構成するバスバー部材５２は略矩形状で板状に形成され、このバスバー部材５２のうちケース７１内の部分を鉛直延在部５３と称するものとしたが、接続部材を構成するバスバー部材は円柱の中心軸方向を長手方向として延在する略円柱状に形成されてなり、この略円柱状のバスバー部材のうちモータ４１，４２を収納するケース７１内で鉛直方向に延在する部分を鉛直延在部と称するものとしてもよい。この場合、略円柱状のバスバーの鉛直延在部に、図４で例示したような貫通孔と図５で例示したような凸部と図６で例示したような凹部とのうちいずれか１つまたは２つ若しくは３つを組み合わせたものを設けるものとしてもよい。例えば、図９の変形例のバスバー５５０の鉛直延在部５５３に例示するように、接続部材５０，５１に代えて略円柱状のバスバー部材からなる三相分のバスバーにより構成された接続部材を用いて、この接続部材の各バスバー５５０の鉛直延在部に３つの貫通孔５５６を設けるなどとしてもよい。
【００２４】
実施例の駆動装置４０では、接続部材５０を構成するバスバー部材５２は略矩形状で板状に形成され、このバスバー部材５２のうちケース７１内の部分を鉛直延在部５３と称するものとしたが、接続部材を構成するバスバー部材は円柱の中心軸方向を長手方向として延在する略円柱状に形成されてなり、この略円柱状のバスバー部材のうちモータ４１，４２を収納するケース７１内で鉛直方向に延在する部分を鉛直延在部と称するものとしてもよい。この場合、モータ４２とインバータ４４とを接続する三相全てのバスバーおよびモータ４１とインバータ４３とを接続する三相全てのバスバーについて、図１０の変形例のバスバー６５０の鉛直延在部６５３に例示するように、接続部材５０，５１に代えて略円柱状のバスバー部材からなるバスバーにより構成された接続部材を用いて、この接続部材の各バスバー６５０の鉛直延在部に、潤滑油の供給配管６４の供給口６５に対向する一部位よりも鉛直方向下方で円柱の表面を螺旋状とするねじ山６５５とねじ溝６５６とが形成されるものとしてもよい。こうすれば、略円柱状のバスバーでその表面が螺旋状でないものに比して、潤滑液が螺旋状の部分を周回しやすくなり、バスバーにおいて潤滑液との熱交換が行なわれる表面積を大きくすると共に熱交換が行なわれる時間を長くすることができる。
【００２５】
実施例では、駆動装置４０はハイブリッド自動車２０に搭載されたものとして説明したが、自動車以外の車両や船舶，航空機などの移動体に搭載される駆動装置の形態や建設設備などの移動しない設備に組み込まれた駆動装置の形態としても構わない。
【００２６】
実施例の主要な要素と課題を解決するための手段の欄に記載した発明の主要な要素との対応関係について説明する。実施例では、以下、本発明の第１の駆動装置について、モータ４２が「電動機」に相当し、インバータ４４が「駆動回路」に相当し、鉛直延在部５３が「鉛直延在部」に相当し、バスバー５０Ｕが「バスバー」に相当し、潤滑システム６０が「冷却液供給装置」に相当する。さらに、モータ４１も「電動機」に相当し、インバータ４３も「駆動回路」に相当し、鉛直延在部１５３，２５３，３５３，４５３，５５３も「鉛直延在部」に相当し、バスバー５５０も「バスバー」に相当する。また、以下、本発明の第２の駆動装置について、モータ４２が「電動機」に相当し、インバータ４４が「駆動回路」に相当し、鉛直延在部６５３が「鉛直延在部」に相当し、バスバー６５０が「バスバー」に相当し、潤滑システム６０が「冷却液供給装置」に相当する。さらに、モータ４１も「電動機」に相当し、インバータ４１も「駆動回路」に相当する。
【００２７】
ここで、以下、本発明の第１および第２の駆動装置について、「電動機」としては、同期発電電動機として構成されたモータ４１，４２に限定されるものではなく、誘導電動機など、他のタイプの電動機であっても構わない。「駆動回路」としては、ケース７２に収納されたインバータ４３，４４に限定されるものではなく、電動機と同一のケースに収納されたものなど、電動機の鉛直方向上方に配置され電動機を駆動するものであれば如何なるものとしても構わない。「冷却液供給装置」としては、潤滑液の供給口６５を有する潤滑システム６０に限定されるものではなく、バスバーの鉛直延在部における鉛直方向上部の所定部位に対向するように開口して鉛直延在部に向けて冷却液を供給する供給口を有するものであれば如何なるものとしても構わない。また、以下、本発明の第１の駆動装置について、「バスバー」としては、バスバー５０Ｕ，５５０に限定されるものではなく、略鉛直方向に延在する鉛直延在部を有し電動機と駆動回路とを電気的に接続するバスバーであれば如何なるものとしても構わない。「鉛直延在部」としては、鉛直延在部５３，１５３，２５３，３５３，４５３，５５３に限定されるものではなく、少なくとも所定部位より鉛直方向下方の部位に、供給口に対向する方向に鉛直延在部を貫通する１つ以上の貫通孔と、供給口に対向する表面で表面から突出する１つ以上の凸部と、供給口に対向する表面で表面から窪んだ１つ以上の凹部と、のうち少なくともいずれかが形成されてなるものであれば如何なるものとしても構わない。さらに、以下、本発明の第２の駆動装置について、「バスバー」としては、バスバー６５０に限定されるものではなく、円柱の中心軸方向としての略鉛直方向に延在する略円柱状の鉛直延在部を有し電動機と駆動回路とを電気的に接続するバスバーであれば如何なるものとしても構わない。「鉛直延在部」としては、鉛直延在部６５３に限定されるものではなく、円柱の中心軸方向としての略鉛直方向に延在する略円柱状のものであれば如何なるものとしても構わない。
【００２８】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２９】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３０】
本発明は、駆動装置の製造産業などに利用可能である。
【符号の説明】
【００３１】
２０  ハイブリッド自動車、２２  エンジン、２４  エンジン用電子制御ユニット（エンジンＥＣＵ）、２６  クランクシャフト、２７  ダンパ、２８  バッテリ、３０  プラネタリギヤ、３２  駆動軸、３６  ギヤ機構、３８  デファレンシャルギヤ、３９ａ，３９ｂ  駆動輪、４０  駆動装置、４１，４２  モータ、４２ａ  ステータコア、４２ｂ  コイルエンド、４３，４４  インバータ、４６  モータ用電子制御ユニット（モータＥＣＵ）、５０，５１  接続部材、５０Ｕ，５５０，６５０  バスバー、５２，５９  バスバー部材、５３，１５３，２５３，３５３，４５３，５５３，６５３  鉛直延在部、５４  取付孔、５６，３５６，５５６  貫通孔、６０  潤滑システム、６２  オイルパン、６４  供給配管、６５  供給口、６６  ポンプ、７０  ハイブリッド用電子制御ユニット（ＨＶＥＣＵ）、７１，７２  ケース、１５６  凸部、２５６  凹部、３５７  導入部、６５５  ねじ山、６５６  ねじ溝。
【図１】
2011234590.tif 000003
【図２】
2011234590.tif 000004
【図３】
2011234590.tif 000005
【図４】
2011234590.tif 000006
【図５】
2011234590.tif 000007
【図６】
2011234590.tif 000008
【図７】
2011234590.tif 000009
【図８】
2011234590.tif 000010
【図９】
2011234590.tif 000011
【図１０】
2011234590.tif 000012